(57)【特許請求の範囲】
【請求項１】
長尺部品を有する建材を、上壁部の端部が折り曲がり該端部から下方に突出した突出部を備える枠体に対して固定するために用いられる固定具であって、
前記長尺部品に固定される被固定部と、前記固定具の高さ方向において複数回折れ曲がった折り曲げ部と、を有し、
該折り曲げ部は、前記被固定部が前記長尺部品に固定された状態において前記長尺部品の長手方向に対して傾斜した傾斜部分を備え、
前記固定具により前記建材を前記枠体に対して固定する際に、前記傾斜部分は、前記突出部の下端に突き当たることで、前記高さ方向において前記傾斜部分と前記長尺部品との間に前記突出部を挟み込んで前記突出部と係合することを特徴とする固定具。
【請求項２】
前記固定具により前記建材を前記枠体に対して固定する際に、前記折り曲げ部が該折り曲げ部の下端を支点にして前記被固定部側に倒れる向きに弾性変形し、且つ、前記長手方向における前記傾斜部分の両端のうち、前記突出部により近い方の端が反対側の端よりも下方に位置した状態で前記傾斜部分が前記突出部の下端に突き当たることで前記突出部と係合することを特徴とする請求項１に記載の固定具。
【請求項３】
前記長尺部品が水平方向に対して傾いている状態の前記建材を前記固定具により前記枠体に対して固定する際に、前記傾斜部分は、前記長手方向における前記傾斜部分の前記両端の間の領域にて前記突出部の下端に突き当たることで前記突出部と係合することを特徴とする請求項２に記載の固定具。
【請求項４】
前記長尺部品に当接されることで前記長尺部品に対する前記固定具の位置を決める位置決め部を更に有し、
前記被固定部は、前記長尺部品の下面に固定され、
前記位置決め部は、前記長尺部品の側面に当接されることを特徴とする請求項２又は３に記載の固定具。
【請求項５】
前記位置決め部は、前記高さ方向に沿って延出し、前記高さ方向における前記位置決め部の中途位置から前記高さ方向と交差する方向に張り出した張り出し部を備え、
前記張り出し部は、該張り出し部の上面にて前記長尺部品の前記下面に当接されることを特徴とする請求項４に記載の固定具。
【請求項６】
下端面が平坦面となった底部を更に有し、
前記被固定部、前記折り曲げ部及び前記位置決め部は前記底部の外縁から立ち上がった状態で設けられており、
前記底部の前記下端面が前記長尺部品の前記下面と平行となるように前記被固定部が前記長尺部品の前記下面に固定され、かつ、前記位置決め部が前記長尺部品の前記側面に当接されることを特徴とする請求項４又は５に記載の固定具。
【請求項７】
前記被固定部、前記折り曲げ部、前記位置決め部及び前記底部は、一つの板状部材によって構成されており一体化していることを特徴とする請求項６に記載の固定具。
【請求項８】
前記固定具により前記長尺部品である垂木を備える前記建材としての屋根パネルを、建物の母屋をなす前記枠体としてのリップ溝形鋼に対して固定する際に、前記傾斜部分は、前記リップ溝形鋼において上下方向に並べて設けられている一対のリップ部のうち、上側リップ部の下端に突き当たることで、前記高さ方向において前記傾斜部分と前記垂木との間に前記上側リップ部を挟み込んで前記上側リップ部と係合することを特徴とする請求項１乃至７のいずれか一項に記載の固定具。
【請求項９】
垂木を備える屋根パネルが母屋をなすリップ溝形鋼に対して固定された建物の屋根であって、
該屋根が傾斜屋根であり、
前記屋根の傾斜方向において互いに異なる位置に前記リップ溝形鋼が複数配置されており、
前記垂木の長手方向両端部に、それぞれ固定具が取り付けられており、
各々の該固定具は、前記垂木に固定される被固定部と、前記固定具の高さ方向において複数回折れ曲がった折り曲げ部と、を有し、
該折り曲げ部は、前記被固定部が前記垂木に固定された状態において前記垂木の長手方向に対して傾斜した傾斜部分を備え、
各々の前記固定具の前記折り曲げ部が該折り曲げ部の下端を支点にして各々の前記固定具の前記被固定部側に倒れる向きに弾性変形し、且つ、各々の前記固定具の前記傾斜部分が前記折り曲げ部の弾性力を受けながら、複数の前記リップ溝形鋼のうち、対応している前記リップ溝形鋼において上下方向に並べて設けられている一対のリップ部中、上側リップ部の下端に突き当たって該上側リップ部と係合することで、前記屋根パネルが前記固定具によって前記リップ溝形鋼に対して固定されていることを特徴とする建物の屋根。
【発明の詳細な説明】
【技術分野】
【０００１】
本発明は、固定具及び建物の屋根に係り、特に、長尺部品を有する建材を枠体に対して固定するために用いられる固定具、及び、当該固定具を用いて構成された建物の屋根に関する。
【背景技術】
【０００２】
建物の建設工事において、長尺部品を有する建材を枠体に対して固定する際に固定具が用いられることは、既に知られている。上記の固定具の一例としては、長尺部品である垂木を有する屋根パネルを建物躯体中の母屋に対して固定する際に用いられる固定具が挙げられる（例えば特許文献１）。
【０００３】
上記の固定具について説明するにあたり、屋根パネルを母屋に対して固定する手順について図５を参照しながら概説する。図５は、屋根パネルを母屋に対して固定する手順についての説明図であり、母屋に固定された屋根パネルを示す模式図である。
【０００４】
屋根パネル１は、長尺部品としての垂木２と、垂木２の上に載置された略矩形板の野地板３と、によって構成されている。そして、屋根パネル１は、傾斜屋根を構成するものであり、図５に示すように水平方向に対して傾いた状態（すなわち、垂木２が傾斜した状態）で建物躯体にセットされる。
【０００５】
より具体的に説明すると、建物躯体には、母屋が屋根の傾斜方向において互いに異なる位置に複数（図５の構成では２つ）配置されている。ここで、母屋は、例えばリップ溝形鋼４によって構成されている。そして、屋根パネル１の垂木２は、複数のリップ溝形鋼４の各々の長手方向（すなわち、桁方向）と垂木２の長手方向とが互いに略直交した姿勢にて各リップ溝形鋼４の上に載置される。その後、垂木２が各リップ溝形鋼４に対して固定されるが、この際に固定具が用いられる。
【０００６】
以下に従来の固定具の構成について図７を参照しながら説明する。図７は、従来の固定具２０を示す図であり、当該固定具２０によって垂木２がリップ溝形鋼４に固定されている状態を図示している。
【０００７】
従来の固定具２０は、図７に示すように、板状の鋼材からなり、揺動軸２２を介して垂木２に揺動自在な状態で取り付けられている。また、従来の固定具２０の下方部分には、図７に示すように、フック状の引っ掛かり部２１が形成されている。また、従来の固定具２０の上方部分には、ネジを挿通させるための貫通孔（ネジ孔２３）が形成されている。
【０００８】
そして、屋根パネルを母屋に対して固定する際、垂木２をリップ溝形鋼４の上に載置した後、リップ溝形鋼４のリップ部（厳密には、上側リップ部４ａ）に引っ掛かり部２１が係合する（引っ掛かる）ように従来の固定具２０を揺動させる。引っ掛かり部２１をリップ部に係合させた後、ネジ孔２３にネジを挿通し、当該ネジにて従来の固定具２０を垂木２に締結される。これにより、従来の固定具２０は、引っ掛かり部２１がリップ部に係合した状態で垂木２に緊結される。このような手順を経て、従来の固定具２０により垂木２がリップ溝形鋼４に固定され、屋根パネルが母屋に対して固定されるようになる。
【先行技術文献】
【特許文献】
【０００９】
【特許文献１】特開２０１１−１９０６５４号公報
【発明の概要】
【発明が解決しようとする課題】
【００１０】
しかしながら、従来の固定具２０を用いて屋根パネルを母屋に固定する場合には、上述したように、引っ掛かり部２１をリップ溝形鋼４のリップ部に係合させた後に、ネジ孔２３にネジを挿通して従来の固定具２０を垂木２に緊結させる作業を行うことになっている。この緊結作業は、引っ掛かり部２１をリップ溝形鋼４のリップ部に係合させた後に行われるため、建物の建設工事の現場にて行われることになる。このため、従来の固定具２０を用いて屋根パネルを母屋に固定する場合には、上記の緊結作業を行う分だけ、現場での作業が増えることになる。
【００１１】
そして、上記の状況に対して、固定具を用いて屋根パネル等の建材を母屋等の枠体に固定する際により手軽に（簡単に）固定することが求められている。そこで、本発明は、上記の課題に鑑みてなされたものであり、その目的とするところは、長尺部品を有する建材を枠体に対してより容易に固定することが可能な固定具を提供することである。
また、本発明の他の目的は、固定具を用いて屋根パネルを母屋に容易に固定することで構成される建物の屋根を提供することである。
【課題を解決するための手段】
【００１２】
前記課題は、本発明の固定具によれば、長尺部品を有する建材を、上壁部の端部が折り曲がり該端部から下方に突出した突出部を備える枠体に対して固定するために用いられる固定具であって、前記長尺部品に固定される被固定部と、前記固定具の高さ方向において複数回折れ曲がった折り曲げ部と、を有し、該折り曲げ部は、前記被固定部が前記長尺部品に固定された状態において前記長尺部品の長手方向に対して傾斜した傾斜部分を備え、前記固定具により前記建材を前記枠体に対して固定する際に、前記傾斜部分は、前記突出部の下端に突き当たることで、前記高さ方向において前記傾斜部分と前記長尺部品との間に前記突出部を挟み込んで前記突出部と係合することにより解決される。
【００１３】
上記のように構成された本発明の固定具は、その被固定部が建材の長尺部品に固定された状態において当該長尺部品の長手方向に対して傾斜した傾斜部分を備えている。そして、固定具により建材を枠体に対して固定する際、上記の傾斜部分を枠体の突出部の下端に突き当てることにより、固定具の高さ方向において傾斜部分と長尺部品との間に突出部が挟み込まれるようになる。このような構成であれば、固定具の傾斜部分を枠体の突出部の下端に突き当てるだけで固定具が枠体に容易に組み付けられ、結果として、建材が枠体に対してより容易に固定されるようになる。また、固定具の高さ方向において傾斜部分と長尺部品との間に突出部が挟み込まれることで、同方向における固定具及び建材のガタツキが適切に抑えられることになる。
【００１４】
また、上記の固定具についてより好適な構成を述べると、前記固定具により前記建材を前記枠体に対して固定する際に、前記折り曲げ部が該折り曲げ部の下端を支点にして前記被固定部側に倒れる向きに弾性変形し、且つ、前記長手方向における前記傾斜部分の両端のうち、前記突出部により近い方の端が反対側の端よりも下方に位置した状態で前記傾斜部分が前記突出部の下端に突き当たることで前記突出部と係合するとよい。
上記の構成では、固定具により建材を枠体に対して固定する際に、折り曲げ部が該折り曲げ部の下端を支点にして被固定部側に倒れる向きに弾性変形する。また、傾斜部分の両端のうち、突出部により近い方の端が反対側の端よりも下方に位置した状態で傾斜部分が突出部の下端に突き当たる。かかる構成によれば、傾斜部分と突出部との係合位置に折り曲げ部の弾性力が作用する結果、当該弾性力によって、傾斜部分が突出部に押し付けられるようになる。これにより、傾斜部分と突出部との形状状態を安定させることができ、以て、枠体に対して建材をより安定的に固定しておくことが可能となる。さらに、長尺部品の長手方向において、突出部の下端が傾斜部分に突き当たっている位置がずれてしまうのを適切に抑制することが可能となる。
【００１５】
また、上記の固定具について更に好適な構成を述べると、前記長尺部品が水平方向に対して傾いている状態の前記建材を前記固定具により前記枠体に対して固定する際に、前記傾斜部分は、前記長手方向における前記傾斜部分の前記両端の間の領域にて前記突出部の下端に突き当たることで前記突出部と係合するとよい。
上記の構成では、傾斜部分の両端の間の領域に突出部の下端が突き当たることになっている。すなわち、上記の構成によれば、傾斜部分の中央領域に突出部の下端が突き当たるので、傾斜部分の端領域に突き当たる構成に比して傾斜部分を突出部の下端に良好に突き当てることが可能となる。
【００１６】
また、上記の固定具についてより一層好適な構成を述べると、前記長尺部品に当接されることで前記長尺部品に対する前記固定具の位置を決める位置決め部を更に有し、前記被固定部は、前記長尺部品の下面に固定され、前記位置決め部は、前記長尺部品の側面に当接されるとよい。
上記の構成では、固定部の位置決め部が長尺部品に当接することで、固定具が長尺部品に対して位置決めされる。これにより、長尺部品に対する固定具の位置決めを容易に行うことが可能となる。
【００１７】
また、上記の固定具について尚一層好適な構成を述べると、前記位置決め部は、前記高さ方向に沿って延出し、前記高さ方向における前記位置決め部の中途位置から前記高さ方向と交差する方向に張り出した張り出し部を備え、前記張り出し部は、該張り出し部の上面にて前記長尺部品の前記下面に当接されるとよい。
上記の構成では、固定部の位置決め部が張り出し部を備え、当該張り出し部が長尺部品の下面に当接することになっている。このような構成によれば、張り出し部によって固定具の位置決め（厳密には、固定具の高さ方向における位置決め）を容易に行うことが可能となる。
【００１８】
また、上記の固定具について一段と好適な構成を述べると、下端面が平坦面となった底部を更に有し、前記被固定部、前記折り曲げ部及び前記位置決め部は前記底部の外縁から立ち上がった状態で設けられており、前記底部の前記下端面が前記長尺部品の前記下面と平行となるように前記被固定部が前記長尺部品の前記下面に固定され、かつ、前記位置決め部が前記長尺部品の前記側面に当接されるとよい。
上記の構成では、固定具の底部の下端面が平坦面となっている。また、固定具を長尺部品に固定した状態では、固定具の底部の下端面と長尺部品の下面とが互いに平行となっている。このような構成であれば、長尺部品に固定具が固定された状態の建材を床等に置いておく際、固定具の底部の下端面を接地させておくことで建材を安定的に置いておくことが可能となる。
【００１９】
また、上記の固定具について益々好適な構成を述べると、前記被固定部、前記折り曲げ部、前記位置決め部及び前記底部は、一つの板状部材によって構成されており一体化しているとよい。
上記の構成では、固定具各部が一つの部材（板状部材）によって構成されて一体化しているため、固定具の構造をよりシンプルなものとすることが可能となる。
【００２０】
また、上記の固定具において、前記固定具により前記長尺部品である垂木を備える前記建材としての屋根パネルを、建物の母屋をなす前記枠体としてのリップ溝形鋼に対して固定する際に、前記傾斜部分は、前記リップ溝形鋼において上下方向に並べて設けられている一対のリップ部のうち、上側リップ部の下端に突き当たることで、前記高さ方向において前記傾斜部分と前記垂木との間に前記上側リップ部を挟み込んで前記上側リップ部と係合することとしてもよい。
上記の構成であれば、本発明の固定具を用いることで、垂木を備えた屋根パネルを、母屋をなすリップ溝形鋼に対して容易に固定することが可能となる。
【００２１】
また、前述の課題は、本発明の建物の屋根によれば、垂木を備える屋根パネルが母屋をなすリップ溝形鋼に対して固定された建物の屋根であって、該屋根が傾斜屋根であり、前記屋根の傾斜方向において互いに異なる位置に前記リップ溝形鋼が複数配置されており、前記垂木の長手方向両端部に、それぞれ固定具が取り付けられており、各々の該固定具は、前記垂木に固定される被固定部と、前記固定具の高さ方向において複数回折れ曲がった折り曲げ部と、を有し、該折り曲げ部は、前記被固定部が前記垂木に固定された状態において前記垂木の長手方向に対して傾斜した傾斜部分を備え、各々の前記固定具の前記折り曲げ部が該折り曲げ部の下端を支点にして各々の前記固定具の前記被固定部側に倒れる向きに弾性変形し、且つ、各々の前記固定具の前記傾斜部分が前記折り曲げ部の弾性力を受けながら、複数の前記リップ溝形鋼のうち、対応している前記リップ溝形鋼において上下方向に並べて設けられている一対のリップ部中、上側リップ部の下端に突き当たって該上側リップ部と係合することで、前記屋根パネルが前記固定具によって前記リップ溝形鋼に対して固定されていることにより解決される。
上記のように構成された本発明の建物の屋根は、垂木の長手方向両端部に取り付けられた固定具によって屋根パネルを母屋に容易に固定することで構成されたものである。つまり、本発明の建物の屋根を施工する際には建物の建築現場での作業負担が軽減され、以て工期の短縮や工事費用の削減が図られるようになる。
【発明の効果】
【００２２】
本発明の固定具を用いることにより、長尺部品を備えた建材を枠体に対してより容易に固定することが可能となる。この結果、建物の建設工事において、建材を枠体に対して固定する作業の負担が軽減し、以て工期の短縮や工事費用の削減が図られるようになる。
さらに、本発明の建物の屋根によれば、当該建物の施工時に、垂木の長手方向両端部に取り付けられた固定具によって屋根パネルを母屋に容易に固定することが可能となる。
【図面の簡単な説明】
【００２３】
【図１】本発明の一実施形態に係る固定具の外観図である。
【図２】本発明の一実施形態に係る固定具を長尺部品に固定した状態を示す図であり、長尺部品の長手方向一端側から見たときの図である。
【図３】本発明の一実施形態に係る固定具を長尺部品に固定した状態を示す図であり、長尺部品を側方から見たときの図である。
【図４】固定具がリップ溝形鋼に係合している状態を示す図である。
【図５】母屋に固定された屋根パネルを示す模式図である。
【図６Ａ】固定具をリップ溝形鋼に取り付ける手順を示す図である（その１）。
【図６Ｂ】固定具をリップ溝形鋼に取り付ける手順を示す図である（その２）。
【図７】従来の固定具を示す図である。
【発明を実施するための形態】
【００２４】
以下、本発明の一実施形態（以下、本実施形態）に係る固定具の構成について図１〜４、既出の図５、並びに図６Ａ及び図６Ｂを参照しながら説明する。図１は、本実施形態に係る固定具１０の外観図である。なお、図１には、矢印にて固定具１０の高さ方向を図示している。図２及び図３は、本実施形態に係る固定具１０を長尺部品としての垂木２に固定した状態を示す図であり、図２は、垂木２の長手方向一端側から見たときの図であり、図３は、垂木２を側方から見たときの図である。なお、図２には、矢印にて固定具１０の高さ方向を図示しており、図３には、矢印にて垂木２の長手方向を図示している。図４は、固定具１０がリップ溝形鋼４に係合している状態を示す図である。なお、図４には、矢印にて固定具１０の高さ方向、上下方向（鉛直方向）及び垂木２の長手方向を図示している。図６Ａ及び図６Ｂは、固定具１０をリップ溝形鋼４に取り付ける手順を示す図であり、図６Ａ及び図６Ｂの順に状態が遷移する。
【００２５】
ちなみに、固定具１０の特徴を分かり易く説明する都合上、図２〜４、図６Ａ及び図６Ｂでは固定具１０、垂木２及びリップ溝形鋼４を模式的に記載しており、各部品の形状や寸法等については、以下に説明する内容を除き、実際のものとは若干異なっている。
【００２６】
先ず、本実施形態に係る固定具１０の用途、材質及び形状等について説明する。
本実施形態に係る固定具１０（以下、単に固定具１０）は、建物の傾斜屋根を構成する屋根パネル１（建材に相当）を建物躯体の母屋に対して固定する際に用いられるものである。屋根パネル１は、長尺部品としての垂木２と、垂木２の上に載置された略矩形平板状の野地板３と、によって構成されている。屋根パネル１は、図５に示すように、垂木２が水平方向に対して傾斜した状態、厳密には、軒先側の端がより下方に位置した状態でセットされる。
【００２７】
なお、以下の説明では、垂木２の長手方向において軒先側の端を「長手方向一端」と呼び、反対側の端を「長手方向他端」と呼ぶこととする。
【００２８】
母屋は、建物躯体において棟木（不図示）と平行に配置されたリップ溝形鋼４（枠体に相当）からなる。なお、母屋をなすリップ溝形鋼４は、図５に示すように、屋根の傾斜方向において異なる位置に複数（図５に図示のケースでは２つ）配置されている。また、各リップ溝形鋼４の開口側の端は、屋内側（妻方向における内側）を向いている。すなわち、各リップ溝形鋼４は、その開口側端部に設けられた一対のリップ部が上下に並んだ状態で配置されている。ちなみに、一対のリップ（すなわち、上側リップ部４ａ及び下側リップ部４ｂ）のうち、上側リップ部４ａは、本発明の「突出部」に相当する。
【００２９】
そして、固定具１０は、垂木２が複数のリップ溝形鋼４に跨った姿勢にて屋根パネル１を各リップ溝形鋼４に固定する際に用いられる。なお、本実施形態では、一枚の屋根パネル１に対して、屋根パネル１中の垂木２の本数と各垂木２が跨るリップ溝形鋼４の個数とを乗じた数分の固定具１０が用いられることになっている。ただし、一枚の屋根パネル１に用いられる固定具１０の個数については、上記の個数に限定されるものでなく、任意の数に設定可能である。
【００３０】
固定具１０は、一部材からなり、具体的には、鋼板（板状材料に相当）を所定形状にカットして、図１に図示の形状となるように折り曲げ加工することで成形されている。固定具１０は、図１に示すように、底部１１と、底部１１の外縁から立ち上がった被固定部１２、傾斜立ち上がり部１３、補強部１４及び位置決め部１５と、を備える。これらの部位は、前述したように、一つの鋼板によって構成されており一体化している。
【００３１】
底部１１は、固定具１０の高さ方向において最も低い位置に設けられた略矩形状の部位である。また、底部１１の下端面は、平坦面となっている。
【００３２】
被固定部１２は、垂木２の所定部位に固定される部分である。具体的に説明すると、被固定部１２は、底部１１の外縁をなす四辺のうち、第一の辺から略垂直に立設した立設部１２ａと、立設部１２ａの上端部をＬ字状に屈曲させることで形成された交差部１２ｂと、を有する。交差部１２ｂは、立設部１２ａと略直交しており、垂木２の下面にネジ止めされることになっている。つまり、被固定部１２は、交差部１２ｂの上面が垂木２の下面に接した状態で垂木２に固定される。
【００３３】
なお、本実施形態において、被固定部１２は、幾分幅広な形状をなしており、具体的に説明すると、底部１１の外縁をなす四辺のうち、被固定部１２が立ち上がっている辺と同じ長さの幅を有している。
【００３４】
傾斜立ち上がり部１３は、底部１１の外縁をなす四辺のうち、被固定部１２とは対向する位置に在る辺から斜め上方に向かって立ち上がった部位である。この傾斜立ち上がり部１３は、図１に示すように、その上方部分が固定具１０の高さ方向において複数回折れ曲って略稲妻状をなしている。すなわち、傾斜立ち上がり部１３は、折り曲げ部をなしており、２つの折れ曲がり箇所（図１中、記号Ｖａ，Ｖｂにて示す箇所）にて折れ曲がっている。
【００３５】
より具体的に説明すると、傾斜立ち上がり部１３は、その基端から下側立ち上がり部１３ａ、傾斜部分１３ｂ及び上側立ち上がり部１３ｃを備えている。下側立ち上がり部１３ａは、上方に向かうほど被固定部１２から離れるように傾斜した部分である。傾斜部分１３ｂは、下側立ち上がり部１３ａに隣接しており被固定部１２に向かって延びた部分である。また、傾斜部分１３ｂは、被固定部１２が垂木２の下面に固定された状態において垂木２の長手方向に対して傾斜するようになる。上側立ち上がり部１３ｃは、傾斜立ち上がり部１３の上端部をなす部分であり、上方に向かって更に延びている。
【００３６】
なお、固定具１０の高さ方向において、傾斜立ち上がり部１３の上端位置は、被固定部１２の上端位置（つまり、交差部１２ｂの上端面）よりもやや下方（底部１１側）に位置する。また、傾斜立ち上がり部１３は、幾分幅広な形状をなしており、具体的に説明すると、底部１１の外縁をなす四辺のうち、傾斜立ち上がり部１３が立ち上がっている辺と同じ長さの幅を有している。
【００３７】
また、本実施形態に係る固定具１０をなす鋼板材料は、若干のバネ性を有する。より具体的に説明すると、上側立ち上がり部１３ｃを被固定部１２に近付けるように押圧すると、傾斜立ち上がり部１３が弾性変形するようになる。より詳しくは、図６Ｂに示すように、下側立ち上がり部１３ａの下端（換言すると、底部１１と傾斜立ち上がり部１３との境界位置）を支点にして被固定部１２側に倒れる向きに弾性変形する。
【００３８】
補強部１４は、固定具１０の強度（剛性）を確保するために設けられた部分であり、底部１１の外縁をなす四辺のうち、被固定部１２と隣接する位置に在る辺から略垂直に立ち上がっている。なお、図１に示すように、補強部１４は、被固定部１２、傾斜立ち上がり部１３及び位置決め部１５に比して幾分背低となっており、また、傾斜立ち上がり部１３から離間した位置に設けられている。
【００３９】
位置決め部１５は、垂木２に当接されることで垂木２に対する固定具１０の位置を決める部分である。この位置決め部１５は、底部１１の外縁をなす四辺のうち、被固定部１２と隣接し且つ補強部１４と対向する位置に在る辺から略垂直に立ち上がっている。換言すると、位置決め部１５は、固定具１０の高さ方向に沿って延出している。
【００４０】
なお、位置決め部１５は、被固定部１２、傾斜立ち上がり部１３及び補強部１４に比して幾分背高となっており、また、傾斜立ち上がり部１３から離間した位置に設けられている。また、位置決め部１５は、幾分幅広な形状をなしており、具体的に説明すると、底部１１の外縁をなす四辺のうち、位置決め部１５が立ち上がっている辺と同じ長さの幅を有している。
【００４１】
また、位置決め部１５は、固定具１０の高さ方向における位置決め部１５の中途位置から当該高さ方向と交差する方向に張り出した張り出し部１６を備えている。この張り出し部１６は、位置決め部１５の幅方向（底部１１の外縁をなす四辺のうち、位置決め部１５が立ち上がっている辺に沿う方向）における両端のうち、被固定部１２からより離れている方の端から張り出している。また、固定具１０の高さ方向において、張り出し部１６の上端位置は、被固定部１２の上端位置（つまり、交差部１２ｂの上端面）と略同じ位置にある。なお、本実施形態では、張り出し部１６の高さ（固定具１０の高さ方向における長さ）が位置決め部１５の高さに比して格段に短くなっている。
【００４２】
そして、位置決め部１５は、垂木２の側面に当接した状態で垂木２にネジ止めされることで、垂木２に対して固定具１０を位置決めする。また、位置決め部１５によって固定具１０が位置決めされる際、張り出し部１６がその上面にて垂木２の下面に当接する。これにより、固定具１０の高さ方向においても固定具１０が位置決めされるようになる。
【００４３】
次に、固定具１０の使用方法について説明する。
固定具１０は、屋根パネル１がパネル製作工場から出荷される段階で、予め屋根パネル１の垂木２に固定されている。つまり、本実施形態に係る屋根パネル１は、垂木２に固定具１０が固定された状態で建築工事の現場へ搬送される。このため、工事現場では、垂木２に固定具１０を固定する作業（具体的にはネジ止めする作業）が不要となり、その分、現場での作業量を軽減し、これにより工期を短縮することが可能となる。
【００４４】
固定具１０を垂木２に固定する手順について説明すると、先ず、図２に示すように、位置決め部１５を垂木２の側面に、張り出し部１６を垂木２の下面にそれぞれ当接させる。これにより、垂木２に対して固定具１０が位置決めされるようになる。また、固定具１０が位置決めされると、被固定部１２の交差部１２ｂが垂木２の下面に当接するようになる。かかる状態で被固定部１２を垂木２の下面にネジ止めする。この結果、固定具１０が垂木２に固定されるようになる。
【００４５】
なお、本実施形態では、ネジによって固定具１０を垂木２に固定することとしたが、固定方式については特に限定されるものではなく、ネジ以外の方式、例えば接着剤にて固定してもよい。
【００４６】
また、本実施形態では、一本の垂木２に対して、屋根パネル１の固定時に当該垂木２が跨るリップ溝形鋼４の個数と同じ数の固定具１０が固定されることになっている。つまり、本実施形態では、図３に示すように、垂木２の長手方向において互いに異なる位置に複数（図３に図示のケースでは２つ）の固定具１０が固定されるようになる。
【００４７】
ちなみに、図３に図示のケースでは、垂木２の長手方向一端部及び長手方向他端部にそれぞれ固定具１０が固定されている。ここで、長手方向一端部に固定されている固定具１０と、長手方向他端部に固定されている固定具１０ｘとは、図３に示すように、互いに左右に反転させた形状（すなわち、左右対称な関係）となっている。ただし、これに限定されるものではなく、長手方向一端部に固定されている固定具１０と、長手方向他端部に固定されている固定具１０ｘとが互いに同じ形状であってもよい。
【００４８】
また、図３に図示のケースでは、垂木２の長手方向一端側の固定具１０と長手方向他端側の固定具１０とが、互いに反対向きの状態で垂木２に固定されている。ただし、これに限定されるものではなく、長手方向一端側の固定具１０と長手方向他端側の固定具１０とが、互いに同じ向き（例えば、傾斜立ち上がり部１３が被固定部１２よりも下方に位置するような向き）を向いた状態で垂木２に固定されていてもよい。
【００４９】
また、本実施形態では、固定具１０が垂木２に固定された状態（すなわち、被固定部１２が垂木２の下面に固定された状態）では、底部１１の下端面が垂木２の下面と略平行となっている。換言すると、固定具１０を垂木２に固定する際には、底部１１の下端面が垂木２の下面と平行となるように被固定部１２が垂木２の下面に固定され、かつ、位置決め部１５が垂木２の側面に当接され、さらには張り出し部１６が垂木２の下面に当接されることになる。
【００５０】
なお、本実施形態では一本の垂木２に対して複数の固定具１０が固定されているが、各固定具１０の底部１１の下端面は、同一平面上にある。これにより、垂木２に固定具１０が固定された状態の屋根パネル１を床等に伏せて置いておく場合に、各固定具１０の底部１１の下端面を接地させておけば、屋根パネル１を水平姿勢で安定的に置いておくことが可能となる。
【００５１】
また、固定具１０が垂木２に固定された状態では、傾斜立ち上がり部１３の傾斜部分１３ｂが垂木２の長手方向に対して傾斜している。さらに、固定具１０が垂木２に固定された状態では、固定具１０の高さ方向（換言すると、位置決め部１５の延出方向）が垂木２の長手方向と略直交している。
【００５２】
そして、固定具１０が垂木２に固定された状態の屋根パネル１を、母屋をなすリップ溝形鋼４に固定する際には、先ず、垂木２を各リップ溝形鋼４の上壁４ｔ（上方に位置するフランジ）の上に載せる。この際、垂木２が水平方向に対して傾くように、厳密には長手方向一端が長手方向他端よりも下方に位置するように垂木２を各リップ溝形鋼４の上壁４ｔの上に載せる。そして、垂木２がリップ溝形鋼４の上壁４ｔの上に載せると、図４に示すように、固定具１０がリップ溝形鋼４に取り付けられるようになっている。
【００５３】
そして、固定具１０がリップ溝形鋼４に取り付けると、垂木２が水平方向に対して傾いている状態の屋根パネル１が固定具１０によってリップ溝形鋼４に固定されるようになる。以下、固定具１０をリップ溝形鋼４に取り付ける方法について図４、図６Ａ及び図６Ｂを参照しながら詳しく説明する。
【００５４】
なお、本実施形態では、一本の垂木２に対して、当該垂木２が跨るリップ溝形鋼４の個数と同じ数の固定具１０が固定されており、各固定具１０は、対応するリップ溝形鋼４（最寄りのリップ溝形鋼４）に取り付けられることになっている。ここで、固定具１０をリップ溝形鋼４に取り付ける方法については固定具１０の間で共通している。このため、以下では、一つの固定具１０（例えば、垂木２の長手方向一端部に固定された固定具１０）のみを例に挙げて、当該固定具１０をリップ溝形鋼４に取り付ける方法を説明することとする。
【００５５】
固定具１０をリップ溝形鋼４に取り付けるにあたり、前述したように、垂木２を各リップ溝形鋼４の上壁４ｔの上に載せることになる。この際、図６Ａに示すように、傾斜立ち上がり部１３がリップ溝形鋼４の上壁４ｔの上方から下降する。厳密に説明すると、傾斜立ち上がり部１３の下側立ち上がり部１３ａがリップ溝形鋼４の上方角部（リップ部が設けられている側の角部）と対向した状態で傾斜立ち上がり部１３が下降する。なお、このとき、傾斜立ち上がり部１３は、垂木２の長手方向における傾斜部分１３ｂの両端のうち、リップ溝形鋼４のリップ部（上側リップ部４ａ及び下側リップ部４ｂ）により近い方の端が反対側の端よりも下方に位置した状態にある。
【００５６】
やがて、傾斜立ち上がり部１３は、リップ溝形鋼４の上方角部に当接するようになり、かかる状態から更に下降すると、リップ溝側鋼４の上側リップ部４ａによって押圧されながら下降するようになる。この結果、傾斜立ち上がり部１３は、図６Ｂに示すように、傾斜立ち上がり部１３の下端を支点にして傾斜立ち上がり部１３が被固定部１２側に倒れる向きに弾性変形するようになる。
【００５７】
そして、図６Ｂに示すように、傾斜部分１３ｂがリップ部間の隙間（すなわち、リップ溝形鋼４の開口）内へ進入する位置まで傾斜立ち上がり部１３が落下すると、傾斜部分１３ｂの上面にリップ溝形鋼４の上側リップ部４ａの下端が突き当たるようになる。ここで、傾斜部分１３ｂと上側リップ部４ａとの接触箇所には、リップ溝形鋼４からの当接力が作用する。一方で、傾斜部分１３ｂと上側リップ部４ａとの接触箇所には、傾斜立ち上がり部１３の弾性力（復元力）が作用する。
【００５８】
以上の状況は、垂木２の長手方向一端側の固定具１０、及び長手方向他端側の固定具１０の双方で生じる。これにより、垂木２の長手方向一端側の固定具１０、及び長手方向他端側の固定具１０のそれぞれにおいて、傾斜部分１３ｂとリップ溝形鋼４の上側リップ部４ａとが係合するようになる。そして、各々の固定具１０において傾斜部分１３ｂと上側リップ部４ａが係合する結果、各々の固定具１０がリップ溝形鋼４に取り付けられ、屋根パネル１がリップ溝形鋼４に対して固定されるようになる。
【００５９】
固定具１０がリップ溝形鋼４に取り付けられた状態について説明すると、図４に示すように、固定具１０の高さ方向において傾斜部分１３ｂと垂木２との間に上側リップ部４ａが挟み込まれている。これにより、固定具１０の高さ方向における固定具１０及び屋根パネル１のガタツキが適切に抑えられるようになる。
【００６０】
また、固定具１０がリップ溝形鋼４に取り付けられた状態では、図４に示すように、上側リップ部４ａの下端が傾斜部分１３ｂの上面に突き当たっている。かかる状態において、傾斜部分１３ｂと上側リップ部４ａとの接触箇所には、前述したように、傾斜立ち上がり部１３の弾性力（復元力）が作用している。また、この際、傾斜部分１３ｂは、垂木２の長手方向における傾斜部分１３ｂの両端のうち、上側リップ部４ａにより近い方の端が反対側の端よりも下方に位置した状態にある。これにより、垂木２の長手方向において、上側リップ部４ａの下端が傾斜部分１３ｂに突き当たっている位置がずれてしまうのを適切に抑制することが可能となる。
【００６１】
上記の内容について図４を参照しながら説明すると、固定具１０がリップ溝形鋼４に取り付けられた状態では、傾斜部分１３ｂが、リップ溝形鋼４の上側リップ部４ａに押圧されて上記の如く弾性変形している。一方、傾斜部分１３ｂは、上述したように、垂木２の長手方向における傾斜部分１３ｂの両端のうち、上側リップ部４ａにより近い方の端が反対側の端よりも下方に位置するように傾斜している。このため、傾斜立ち上がり部１３の弾性力によってリップ溝形鋼４の上側リップ部４ａが押し返されるようになり、上側リップ部４ａのずれ（上下方向及び垂木２の長手方向における移動）が抑制されるようになる。この結果、傾斜部分１３ｂと上側リップ部４ａの係合状態を安定させることが可能となり、以て、リップ溝形鋼４に対して屋根パネル１を安定的に固定しておくことが可能となる。
【００６２】
ちなみに、本実施形態において、傾斜部分１３ｂのうち、垂木２の長手方向における傾斜部分１３ｂの両端の間に位置する領域（図４中、２本の一点鎖線に挟まれた領域）に、上側リップ部４ａの下端が突き当たることになっている。このような構成であれば、傾斜部分１３ｂと上側リップ部４ａとの係合状態を安定的に保持することが可能となる。
【００６３】
具体的に説明すると、例えば、垂木２の長手方向における傾斜部分１３ｂの両端のうち、上側リップ部４ａにより近い側の端（すなわち、より下側の端）に上側リップ部４ａの下端を突き当てた場合、上側リップ部４ａが脱落して傾斜部分１３ｂと上側リップ部４ａとの係合状態が解除されてしまう虞がある。他方、上側リップ部４ａからより離れている側の端（すなわち、より上側の端）に上側リップ部４ａの下端を突き当てた場合、傾斜部分１３ｂと上側リップ部４ａとが嵌合する形になる。このため、例えばリップ溝形鋼４の寸法に誤差が生じた場合には傾斜部分１３ｂと上側リップ部４ａとをスムーズに係合させ難くなってしまう虞がある。
【００６４】
これに対して、垂木２の長手方向における傾斜部分１３ｂの両端の間に位置する領域に上側リップ部４ａの下端を突き当てる本実施形態の構成であれば、傾斜部分１３ｂの端領域に突き当てる構成に比して、上側リップ部４ａの下端が傾斜部分１３ｂに良好に突き当たるようになり、以て、傾斜部分１３ｂと上側リップ部４ａとの係合状態を安定的に保持することが可能となる。
【００６５】
以上までに説明してきたように、本実施形態に係る固定具１０を用いると、固定具１０の傾斜立ち上がり部１３を弾性変形させながら傾斜部分１３ｂをリップ溝形鋼４の上側リップ部４ａに突き当てて係合させるだけで、屋根パネル１が当該リップ溝形鋼４（すなわち、母屋）に固定されるようになる。これにより、母屋に対する屋根パネル１の固定作業、特に建築工事の現場で行われる作業がより簡単に行われるようになる。
【００６６】
以上までに、本発明の一実施形態に係る固定具１０の構成について説明してきたが、上記の実施形態は、本発明の理解を容易にするための一例に過ぎず、本発明を限定するものではない。すなわち、本発明は、その趣旨を逸脱することなく、変更、改良され得ると共に、本発明にはその等価物が含まれることは勿論である。
【００６７】
特に、固定具１０の構造、材質、形状及び寸法等については、上記の実施形態の中で説明した内容に限定されず、本発明の趣旨を逸脱しない限りにおいて任意に設計することが可能である。
【００６８】
また、上記の実施形態では、屋根パネル１を母屋に固定する際に用いられる固定具１０について説明したが、これに限定されるものではない。すなわち、本発明の固定具は、長尺部品を備える建材を枠体に対して固定する際に用いられるものであり、屋根パネル１以外の建材、例えば、長尺部品としての支持材を備える床パネルを床梁（大引）に対して固定する際に用いられるものであってもよい。
【００６９】
また、上記の実施形態では、固定具１０によって屋根パネル１を母屋に対して恒常的に固定する場合を例に挙げて説明したが、これに限定されるものではない。すなわち、本発明の固定具は、建物の建築工事において屋根パネル１を母屋に対して仮固定（一時的に固定）する場合に用いられるもの、換言すると、屋根パネル１固定用の治具として用いられるものであってもよい。
【符号の説明】
【００７０】
１  屋根パネル（建材）、２  垂木（長尺部品）
３  野地板、４  リップ溝形鋼（枠体）
４ａ  上側リップ部（突出部）、４ｂ  下側リップ部、４ｔ  上壁
１０  固定具、１０ｘ  固定具
１１  底部、１２  被固定部
１２ａ  立設部、１２ｂ  交差部
１３  傾斜立ち上がり部（折り曲げ部）
１３ａ  下側立ち上がり部、１３ｂ  傾斜部分
１３ｃ  上側立ち上がり部
１４  補強部、１５  位置決め部、１６  張り出し部
２０  従来の固定具、２１  引っ掛かり部
２２  揺動軸、２３  ネジ孔
【図１】
0006556006.tif 000002
【図２】
0006556006.tif 000003
【図３】
0006556006.tif 000004
【図４】
0006556006.tif 000005
【図５】
0006556006.tif 000006
【図６Ａ】
0006556006.tif 000007
【図６Ｂ】
0006556006.tif 000008
【図７】
0006556006.tif 000009